(57)【要約】【課題】計測器がアラーム状態になった場合には、専用のソフトウエアを用いることなくパソコンでアラーム音を発生させることができる計測器を実現すること。【解決手段】インターネットによるパソコンとの通信機能を有する計測器において、  アラーム設定値に対する測定値のアラーム状態を検出するアラーム検出手段と、前記パソコンの汎用ウェブブラウザに対して周期的に計測器に固有の測定画面を出力する画面出力手段と、前記アラーム検出手段がアラーム状態を検出することにより前記汎用ウェブブラウザ上で所望のアラーム音を発生させるアラーム音出力手段、を設けたことを特徴とするもの。【選択図】                    図２
2011150385.tif 000002
【特許請求の範囲】
【請求項１】
インターネットによるパソコンとの通信機能を有する計測器において、
アラーム設定値に対する測定値のアラーム状態を検出するアラーム検出手段と、
前記パソコンの汎用ウェブブラウザに対して周期的に計測器に固有の測定画面を出力する画面出力手段と、
前記アラーム検出手段がアラーム状態を検出することにより前記汎用ウェブブラウザ上で所望のアラーム音を発生させるアラーム音出力手段、
を設けたことを特徴とする計測器。
【請求項２】
前記アラーム音出力手段は、
前記アラーム検出手段がアラーム状態を検出することにより前記汎用ウェブブラウザ上にアラームポップアップウインドウを表示させ、このアラームポップアップウインドウを閉じることによりアラーム音を止めることを特徴とする請求項１に記載の計測器。
【請求項３】
前記アラームポップアップウインドウには、アラーム音をＯＮ/ＯＦＦするスイッチ機能を設けたことを特徴とする請求項２に記載の計測器。
【請求項４】
前記パソコンは複数台接続されていることを特徴とする請求項１から請求項３のいずれかに記載の計測器。
【請求項５】
前記パソコンには複数台の計測器が接続されていることを特徴とする請求項１から請求項３のいずれかに記載の計測器。
【発明の詳細な説明】
【技術分野】
【０００１】
本発明は、計測器に関し、詳しくは、インターネットによるパソコンとの通信機能を有する記録計などの計測器の改良に関するものである。
【０００２】
近年のインターネットの普及に伴い、たとえば特許文献１にも記載されているように、計測器にインターネットによる通信機能を組み込むことが広く行われている。
【０００３】
図４は、特許文献１に記載されている従来の測定システムの一例を示すブロック図である。計測器１と通信端末２はそれぞれ少なくとも１台がネットワーク３を介して相互に接続されている。
【０００４】
計測器１には、測定対象４の信号を測定する測定機能１ａ、計測器１がイベント発生を検知したときに所定のアドレス先に電子メールを送信するＳＭＴＰ（Simple Mail Transfer Protocol/簡易メール転送プロトコル）クライアント機能１ｂ、計測器１がイベント発生を検知したときにイベント発生前後の測定画面情報を個々のアドレスを有するウェブ画像ファイルとして格納するＨＴＴＰ（Hyper Text Transfer Protocol/ハイパー・テキスト・トランスファ・プロトコル）サーバー機能１ｃ、計測器１がイベント発生を検知したときに各イベントに応じて電子メールを送信すべきアドレス先が格納されたイベント別アドレス格納部１ｄなどが設けられている。
【０００５】
測定対象４の温度や圧力などが外部から制御可能な場合には、測定対象制御機能１ｅを設けてもよい。
【０００６】
通信端末２は、ネットワーク３を介して計測器１との間で電子メールの授受やウェブ画像ファイルの閲覧を行うものであり、ノートパソコン・携帯電話・ＰＨＳ・パームトップ型の携帯端末などを用いる。なお、パソコンはデスクトップ型であってもよい。
【０００７】
図４の構成において、計測器１がイベント発生を検知すると、そのイベントの内容に応じて、イベント別アドレス格納部１ｄに格納されている所定のアドレス先に電子メールで発生したイベントの内容を通知する。
【０００８】
電子メールで通知する内容は、たとえばレコーダにおいて測定値が予め設定されている警報設定値を超えたアラームが発生した場合には、アラーム発生時刻、アラームが発生した測定チャンネルのアラーム発生要因と測定値、アラームが発生した状態のトレンド画面を格納しているＵＲＬアドレスなどである。
【０００９】
作業者は、通信端末２に組み込まれているブラウザを用いて電子メールで送られてきたＵＲＬアドレスにアクセスすることで、計測器１から離れた場所であっても、アラームが発生した状態の計測器１のトレンド画面を目視確認できる。
【００１０】
なお、ＵＲＬアドレスで示す画面は、トレンド画面に限るものではなく、デジタル測定値の表示画面やバーグラフ表示画面、あるいは計測器の測定条件を設定する画面であってもよい。
【００１１】
また、測定対象４に対する制御機能１ｅを備えている場合には、機能的なシステム構成図を表示してアラーム発生部分を模式的に表示してもよい。
【００１２】
ネットワーク３に接続する計測器１と通信端末２はいずれも１台に限るものではなく、必要に応じてそれぞれ複数Ｎ台を接続することによって、計測器１と通信端末２との関係が１：Ｎ、Ｎ：１あるいはＮ：Ｎのさまざまな規模の計測システムが実現できる。すなわち、このような計測システム構成とすることにより、１台あるいは複数Ｎ台の計測器１の測定状況を１台あるいは複数Ｎ台の通信端末２でモニターできることになる。
【００１３】
なお、計測システムを構成する計測器は単一種類に限るものではなく、たとえばレコーダとデジタルオシロスコープを混在させるなど複数種類を組み合わせることができる。
【００１４】
特許文献１に記載されている構成によれば、計測器の設置場所から離れた場所で作業したり移動中の作業者に対して、専用のソフトウェアを用いることなく既存の電子メール機能を計測器に組み込むことで、計測器のアラームなどのイベント発生状況を確実に通知できる。
【００１５】
また、屋内の通常のネットワークを用いる場合においても、計測器のアラームなどのイベントが発生した時だけネットワークを介して一般的に負荷の大きい画像データは添付しないで通信負荷の軽いテキストだけを電子メールで送信し、画像データは必要に応じて見たい人だけがブラウザで見るようにしているので、従来のシステム構成に比べてネットワークの利用効率を高めることができる。
【００１６】
そして、電子メールで通知する内容に計測器のイベント発生時を含む画面イメージの画像ファイルにアクセスするためのＵＲＬアドレスを入れているので、電子メールとウェブブラウザとを連携させることができる。
【００１７】
ところで、インターネットによる通信機能を有し図４の測定システムを構成する計測器１において、計測器１のアラーム状態を通信端末２としてのパソコンのアラーム音で通知できると、オペレータは計測器１やパソコンの表示画面をモニターしていなくても聴覚でアラーム状態を確認できるので、オペレータはアラーム監視作業と並行して他の作業を効率よく行うことができる。
【００１８】
図４の測定システムにおいて、パソコン上のアラーム音で知らせるためには、図５に示すように計測器１としての記録計に専用のソフトウエアをパソコン２にインストールし、監視対象となる記録計１への接続やパソコン２上でアラームを出すための設定をする必要がある。
【００１９】
具体的には、たとえば図６に示すように、
１）パソコン２のアラーム確認部２１から記録計１の専用サービスポート１１にアラーム状態の問い合わせコマンドを送信する
２）記録計１の専用サービスポート１１はアラーム状態の問い合わせコマンドに基づきアラーム検出部１２のアラーム状態を参照する
３）記録計１の専用サービスポート１１からパソコン２のアラーム確認部２１にアラーム検出部１２のアラーム状態を送信する
４）パソコン２のアラーム確認部２１はアラーム検出部１２のアラーム状態に基づきアラーム音発生部２２からアラーム音を発生させる
という一連の処理を実行する。
【先行技術文献】
【特許文献】
【００２０】
【特許文献１】特開２００１−３３８３８０号公報
【発明の概要】
【発明が解決しようとする課題】
【００２１】
しかし、従来の構成によれば、パソコン上のアラーム音で知らせるためには、前述のようにパソコン２に記録計１に専用のソフトウエアをインストールしなければならない。
【００２２】
また、ある記録計を複数台のパソコンで遠隔監視したいとき、専用ソフトウエアは記録計に専用のサービスを使うため、監視できるパソコンの台数が制限されてしまう。
【００２３】
また、その記録計の専用サービスの通信資源が全て使われていたときは遠隔監視できなくなる。
【００２４】
さらに、１台のパソコンで複数台の記録計の遠隔監視をするときは、監視できる記録計の台数の上限は専用ソフトウエアの仕様によって制限されてしまう。
【００２５】
本発明は、これらの問題点を解決するものであり、その目的は、計測器がアラーム状態になった場合には、専用のソフトウエアを用いることなくパソコンでアラーム音を発生させることができる計測器を実現することにある。
【課題を解決するための手段】
【００２６】
上記目的を達成するために、本発明のうち請求項１に記載の発明は、
インターネットによるパソコンとの通信機能を有する計測器において、
アラーム設定値に対する測定値のアラーム状態を検出するアラーム検出手段と、
前記パソコンの汎用ウェブブラウザに対して周期的に計測器に固有の測定画面を出力する画面出力手段と、
前記アラーム検出手段がアラーム状態を検出することにより前記汎用ウェブブラウザ上で所望のアラーム音を発生させるアラーム音出力手段、
を設けたことを特徴とする。
【００２７】
請求項２記載の発明は、請求項１に記載の計測器において、
前記アラーム音出力手段は、
前記アラーム検出手段がアラーム状態を検出することにより前記汎用ウェブブラウザ上にアラームポップアップウインドウを表示させ、このアラームポップアップウインドウを閉じることによりアラーム音を止めることを特徴とする。
【００２８】
請求項３記載の発明は、請求項２に記載の計測器において、
前記アラームポップアップウインドウには、アラーム音をＯＮ/ＯＦＦするスイッチ機能を設けたことを特徴とする。
【００２９】
請求項４記載の発明は、請求項１から請求項３のいずれかに記載の計測器において、
前記パソコンは複数台接続されていることを特徴とする。
【００３０】
請求項５記載の発明は、請求項１から請求項３のいずれかに記載の計測器において、
前記パソコンには複数台の計測器が接続されていることを特徴とする。
【発明の効果】
【００３１】
本発明によれば、計測器がアラーム状態になった場合には、専用のソフトウエアを用いることなくパソコンでアラーム音を発生させることができる。
【図面の簡単な説明】
【００３２】
【図１】本発明に基づく計測器を用いた測定システムの具体例を示すブロック図である。
【図２】図１の動作説明図である。
【図３】図１および図２の具体例を示すブロック図である。
【図４】従来の測定システムの一例を示すブロック図である。
【図５】図４の簡略説明図である。
【図６】図５の主要部説明図である。
【発明を実施するための最良の形態】
【００３３】
以下、図面を参照して、本発明を詳細に説明する。図１は本発明に基づく計測器を用いた測定システムの具体例を示すブロック図であり、図４と共通する部分には同一の符号を付けている。図１と図４との相違点は、計測器１に画面出力機能１ｈとアラーム音出力機能１ｉが設けられ、パソコン２には汎用ブラウザ２ｃが設けられていることである。
【００３４】
図２は図１の動作説明図であり、以下のようなシーケンスで動作する。
１）ブラウザ２ｃから計測器としての記録計１のウェブサーバ１ｃに定周期（たとえば約１０秒）でアクセスする。
２）記録計１のウェブサーバ１ｃは画面出力機能１ｈを介して記録計１に固有の測定画面を出力しブラウザ２ｃに表示する。
３）ブラウザ２ｃは記録計１のアラーム状態を検出するとアラームポップアップウインドウ２ｄを新たに開いてアラーム音を発生させる。
４）アラームポップアップウインドウ２ｄを閉じるとアラーム音は止まる。
【００３５】
このようなシーケンスを繰り返して実行する過程で、ブラウザ２ｃが再度記録計１のアラームを検出すると、アラームポップアップウインドウ２ｄを新たに開いてアラーム音を発生させる。
【００３６】
なお、図２のブラウザ２ｃの表示画面において、測定画面Ａとしてグループ１に属する６系統のトレンドが表示され、操作パネル画面Ｂにはインターネットを介して記録計１を実際に操作設定するための複数のスイッチ類が設けられ、画面設定領域Ｃには画面サイズを調整したり画面自動更新機能やアラーム音をＯＮ／ＯＦＦ設定するスイッチなどが設けられ、リンク領域Ｄには記録計１からアラームサマリや全測定データや動作履歴のログなどを読み出して表示するための各種のリンクが設けられている。
【００３７】
図３は図１および図２の具体例を示すブロック図であり、図６と共通する部分には同一の符号を付けている。図１において、記録計１のＨＴＴＰポート１ｊには、画面出力用ＣＧＩ（Common Gateway Interface）１ｋ、本体画面画像ファイル１ｍ、アラーム音用ＣＧＩ１ｎおよびアラーム音出力ファイル１ｏが接続され、画面出力用ＣＧＩ１ｋにはアラーム検出部１ｇが接続されている。
【００３８】
このような構成において、ブラウザ２ｃから記録計１のウェブサーバにアクセスされることにより、記録計１の画面出力用ＣＧＩ１ｋおよびアラーム音出力ファイル１ｏもアクセスされて、記録計１がアラーム状態の場合にパソコン２側でアラーム音を鳴らす機能が実現される。なお、画面出力用ＣＧＩ１ｋは、ブラウザ２ｃから１回アクセスされると、その後は定周期でリロードされるものとする。
【００３９】
画面出力用ＣＧＩ１ｋに記述されるレスポンスのＨＴＭＬ文は、以下のような内容になる。
画面出力用ＣＧＩ１ｋが定周期でブラウザ２ｃからアクセスされるために、ＨＴＭＬヘッダ部に以下のようなRefreshのメタ文を記述する。
＜META HTTP−EQUIV＝”Refresh” CONTENT＝・・・”＞
【００４０】
アラーム検出部１ｇを参照した結果、アラーム状態の時は、「＜BODY＞のonloadで「アラームポップアップウインドウ」を開き、アラーム音出力ＣＧＩを出力する」というJavaScript（Javaは登録商標）を起動する記述をする。なお、アラーム状態でない場合は＜BODY＞のonloadのアクションは記述しない。
【００４１】
そして、ＨＴＭＬボディ部には、本体画面の画像ファイル(png形式)を参照する記述をする。
【００４２】
これにより、記録計１の本体画像ファイル１ｍがブラウザ２ｃからアクセスされることになる。
【００４３】
一方、アラーム音用ＣＧＩ１ｎは、ブラウザ２ｃが、前述のJavaScript「＜BODY＞のonloadで「アラームポップアップウインドウ」を開き、アラーム音出力ＣＧＩを出力する」を実行することによりアクセスされる。
【００４４】
アラーム音用ＣＧＩ１ｎのレスポンスのＨＴＭＬ文には、記録計１の本体内のたとえばwav形式のアラーム音ファイル１ｏを参照する記述があり、ブラウザ２ｃがこのアラーム音ファイル１ｏをアクセスすることによって、パソコン２のブラウザ２ｃ上で所定のアラーム音が発生することになる。
【００４５】
これらの実施例から明らかなように、パソコンに専用ソフトウエアを使うことなく汎用ブラウザで、記録計にアラーム状態が発生したことを、オペレータにアラーム音で知らせることができる。
【００４６】
そして、汎用ブラウザのマルチウインドウを使うことにより、１台のパソコンで複数の記録計の監視が行える。
【００４７】
また、パソコンにおけるウェブのアプリケーションであることから、基本的に１台の記録計に接続されるパソコンの台数制限はなく、離れている複数個所のそれぞれのパソコンに本機能を持たせて、複数個所から１台の記録計を監視することもできる。
【００４８】
また、ウェブのアラーム音機能をＯＮ／ＯＦＦするスイッチを設けることにより、パソコンのアラーム音による通知を使用するか否かを選択できる。
【００４９】
また、アラームポップアップウインドウ２ｄを閉じてパソコン２上のアラーム音を止めたあとでも一定時間アラーム状態が解除されない場合には、再度アラームポップアップウインドウ２ｄを開いてアラーム音を鳴らすようにしてもよい。
【００５０】
また、アラームポップアップウインドウ２ｄを開かずに、ウインドウ上にアラーム発生を示すアイコンを表示させてもよい。そして、このアイコンをクリックするとアラーム音が止まるようにしたり、アイコンを点滅させてもよい。
【００５１】
さらに、アラームポップアップウインドウ２ｄが開いてアラーム音を発生している状態で記録計のアラーム状態が解除されたときには、自動的にアラームポップアップウインドウ２ｄを閉じてアラーム音を止めるようにしてもよい。
【００５２】
なお、上記実施例では、計測器が記録計の例について説明したが、本発明はこれに限るものではなく、アラーム検出機能およびインターネットによるパソコンとの通信機能を有するものであれば、波形測定器や電力測定器などにも適用できる。
【００５３】
以上説明したように、本発明によれば、計測器がアラーム状態になった場合には、専用のソフトウエアを用いることなくパソコンでアラーム音を発生させることができ、効率よくアラーム監視が行える。
【符号の説明】
【００５４】
１  計測器（記録計）
１ｃ  ウェブサーバ
１ｇ  アラーム検出部
１ｈ  画面出力機能
１ｉ  アラーム音出力機能
１ｊ  ＨＴＴＰポート
１ｋ  画面出力用ＣＧＩ
１ｍ  本体画面画像ファイル
１ｎ  アラーム音用ＣＧＩ
１ｏ  アラーム音出力ファイル
２  パソコン
２ｂ  アラーム音出力部
２ｃ  汎用ブラウザ
２ｄ  アラームポップアップウインドウ
３  インターネット
４  測定対象
【図１】
2011150385.tif 000003
【図３】
2011150385.tif 000004
【図４】
2011150385.tif 000005
【図５】
2011150385.tif 000006
【図６】
2011150385.tif 000007
【図２】
2011150385.tif 000008